(57)【要約】【課題】非回転同期振れの内外輪成分を低減し、例えばＨＤＤのスピンドルモータに使用された際のモータ非回転同期振れを低減する。【解決手段】本発明の転がり軸受は、内輪の内径の真円度が１μｍ以下とされており、転動体数をｚ、その整数倍をｎとした場合の内径の角成分ｎｚが、内径比０．０１％以下である。１μｍ以下に収められた内輪の内径の真円度は、内外輪組み付けの際、内輪の軌道面の真円度に転写される。【選択図】　　図１
2004092784.tif 000002
【特許請求の範囲】
【請求項１】
環状の保持器の複数のポケットにそれぞれ保持された複数の転動体が内外輪にそれぞれ形成された軌道溝間に組み込まれている転がり軸受において、
前記内輪の内径の真円度、又は前記外輪の外径の真円度の少なくともいずれか一方が１μｍ以下であり、且つ転動体数をｚ、その整数倍をｎとした場合の内輪の内径の角成分ｎｚ又は外輪の外径の角成分ｎｚ±１が、それぞれの径比０．０１％以下であることを特徴とする転がり軸受。
【発明の詳細な説明】
【０００１】
【発明の属する技術分野】
本発明は、転がり軸受に関し、特にハードディスクドライブ（以下、ＨＤＤという）の構成部品の一部であるスピンドルモータに好適に用いられ、非回転同期振れの内外輪成分を低減させるための転がり軸受に関する。
【０００２】
【従来の技術】
近年、コンピュータ関連産業は、他の産業分野に比較すると歴史の浅い業種であるにも関わらず、技術革新のスピードが速い。その中でも、ＨＤＤは、一つの機種の在期間が短く、新技術を導入した新機種、すなわち高記憶容量化、省電力化、高応答性、高精度化、コンパクト化等を図った機種が次々と開発されている。
【０００３】
従来、ＨＤＤのスピンドルモータには、磁気ディスクを回転支承するスピンドルに転がり軸受が使用されているが、スピンドルの非繰り返し振れである非回転同期振れ（ＮＲＲＯ）を低減することにより、ＨＤＤの高密度化が可能となる。このため、転がり軸受の非回転同期振れを極力抑制することが命題とされる。
【０００４】
転がり軸受は、内外輪の各軌道面を転動体が転がることで、回転体の回転を可能とする。したがって、内外輪の各軌道面の真円度に崩れがあると、非回転同期振れの発生を回避することができない。
【０００５】
【発明が解決しようとする課題】
そこで、上述した従来の転がり軸受では、内外輪の各軌道面の真円度を低減することにより、非回転同期振れを低減させている。しかし、内外輪組み付けの際、内輪の内径及び外輪の外径の真円度が、それぞれの軌道面の真円度に悪影響を及ぼす。このため、内外輪組み付け前の各軌道面の真円度を高くしても、内外輪組み付け後の各軌道面の真円度の低下は避けられず、非回転同期振れの抑制が困難であるという問題があった。
【０００６】
本発明は、非回転同期振れの内外輪成分を低減することで、例えばＨＤＤのスピンドルモータに使用された際のモータ非回転同期振れを低減することができる転がり軸受を提供することを目的としている。
【０００７】
【課題を解決するための手段】
本発明に係る上記課題は、環状の保持器の複数のポケットにそれぞれ保持された複数の転動体が内外輪にそれぞれ形成された軌道溝間に組み込まれている転がり軸受において、
前記内輪の内径の真円度、又は前記外輪の外径の真円度の少なくともいずれか一方が１μｍ以下であり、且つ転動体数をｚ、その整数倍をｎとした場合の前記内輪の内径の角成分ｎｚ又は前記外輪の外径の角成分ｎｚ±１が、それぞれの径比０．０１％以下であることを特徴とする転がり軸受によって解決することができる。
【０００８】
本発明に係る転がり軸受によれば、内輪の内径の真円度、又は外輪の外径の真円度の少なくともいずれか一方が所定の範囲内に収められており、内外輪組み付けの際、所定の範囲内に収められた内輪の内径又は外輪の外径の真円度が、内輪又は外輪の軌道面の真円度に転写される。
【０００９】
すなわち、前記転がり軸受において、内輪の内径の真円度、又は外輪の外径の真円度の少なくともいずれか一方が１μｍ以下とされるとともに、転動体数をｚ、その整数倍をｎとした場合の内輪の内径の角成分ｎｚ又は外輪の外径の角成分ｎｚ±１が、それぞれの径比０．０１％以下とされており、内外輪組み付けの際、所定の範囲内に収められた内輪の内径又は外輪の外径の真円度が、内輪又は外輪の軌道面の真円度に転写される。したがって、内輪又は外輪の軌道面の真円度が適正に保たれ、転動体が軌道面を転がる際の非回転同期振れが低減される。
【００１０】
【発明の実施の形態】
以下、本発明の転がり軸受の実施形態を説明する。
図１は、本発明の転がり軸受の第１実施形態である内輪の内径真円度と、モータ非回転同期振れとの関係を示すグラフである。
【００１１】
本実施形態の転がり軸受は、保持器のポケットにそれぞれ保持された複数の転動体が、それぞれ軌道面を有する一対の内外輪間に組み込まれている。転がり軸受の内輪では、内径の真円度が１μｍ以下とされており、転動体数をｚ、その整数倍をｎとした場合の内径の角成分ｎｚが、内径比０．０１％以下である。
【００１２】
本実施形態の作用を説明する。
内外輪組み付けの際、１μｍ以下に収められた内輪の内径の真円度が、内輪の軌道面の真円度に転写される。これにより、内輪の軌道面の真円度が適正に保たれ、転動体が軌道面を転がる際の非回転同期振れが、図１に示すように低減される。すなわち、内径の真円度の角成分が内径比０．００１８％の場合、モータ非回転同期振れが、３．６ｎｍであり、更に内径比０．０００９％になると、１．３ｎｍまで低減することがわかる。
【００１３】
図２は、本発明の転がり軸受の第２実施形態である外輪の外径真円度と、モータ非回転同期振れとの関係を示すグラフである。
【００１４】
本実施形態の転がり軸受は、外輪の外径の真円度が１μｍ以下とされており、転動体数をｚ、その整数倍をｎとした場合の外輪の外径の角成分ｎｚ±１が、外径比０．０１％以下である。
その他の構成については、上記第１実施形態と同様である。
【００１５】
本実施形態の作用を説明する。
内外輪組み付けの際、１μｍ以下に収められた外輪の外径の真円度が、外輪の軌道面の真円度に転写される。これにより、外輪の軌道面の真円度が適正に保たれ、転動体が軌道面を転がる際の非回転同期振れが、図２に示すように低減される。すなわち、外径の真円度の角成分が外径比０．００２７％の場合、モータ非回転同期振れが、４．０ｎｍであり、更に外径比０．００１２％になると、１．９ｎｍまで低減することがわかる。
【００１６】
上述したように上記各実施形態の転がり軸受によれば、内輪の内径の真円度（第１実施形態）又は外輪の外径の真円度（第２実施形態）が、１μｍ以下とされており、転動体数をｚ、その整数倍をｎとした場合の内輪の内径の角成分ｎｚ（第１実施形態）又は外輪の外径の角成分ｎｚ±１（第２実施形態）が、それぞれの径比０．０１％以下である。
【００１７】
したがって、内外輪組み付けに伴う圧入や接着等の際、内輪の内径の真円度（第１実施形態）又は外輪の外径の真円度（第２実施形態）を、それぞれの軌道面の真円度に転写することができ、内輪又は外輪の各軌道面の真円度を適正に保持することができる。これにより、転動体が各軌道面を転がる際の非回転同期振れの内外輪成分を低減することができるとともに、ＨＤＤのスピンドルモータに使用された際のモータ非回転同期振れを低減することができ、ＨＤＤの高密度化、高記憶容量化を実現することができる。
【００１８】
なお、上記各実施形態では、内輪の内径の真円度（第１実施形態）、又は外輪の外径の真円度（第２実施形態）のいずれか一方が、１μｍ以下に収まるように構成されるが、これに限定されるものではない。すなわち、内輪の内径及び外輪の外径の双方の真円度を管理することで、双方の真円度が１μｍ以下に収まるように構成することもできる。これにより、非回転同期振れの内外輪成分をより一層低減することができる。
【００１９】
【発明の効果】
以上説明したように本発明の転がり軸受によれば、内輪の内径の真円度、又は外輪の外径の真円度の少なくともいずれか一方が、所定の範囲内に収められている。すなわち、内輪の内径の真円度、又は外輪の外径の真円度の少なくともいずれか一方が、１μｍ以下とされており、転動体数をｚ、その整数倍をｎとした場合の内輪の内径の角成分ｎｚ又は外輪の外径の角成分ｎｚ±１が、それぞれの径比０．０１％以下である。
したがって、非回転同期振れの内外輪成分を効果的に低減することができ、例えばＨＤＤのスピンドルモータに使用された際のモータ非回転同期振れを低減することができる。
【図面の簡単な説明】
【図１】本発明の転がり軸受の一実施形態である内輪の内径真円度と、モータ非回転同期振れとの関係を示すグラフである。
【図２】図１における転がり軸受の外輪の外径真円度と、モータ非回転同期振れとの関係を示すグラフである。
【図１】
2004092784.tif 000003
【図２】
2004092784.tif 000004